(57)【要約】【課題】たとえ係止突起を設けなくても、端子金具が端子収容室内で移動し易くなることを防止することができるコネクタを提供する。【解決手段】コネクタ１は端子金具２と端子収容室１４が設けられたコネクタハウジング３とコネクタハウジング３の相手方のコネクタから離れた側の端部に取り付けられるリアホルダ４とを備えている。端子収容室１４が端子金具２の電線接続部１０を収容する接続部収容部１５とこの接続部収容部１５に連なりかつ端子金具２の電気接触部１１を収容するとともに接続部収容部１５よりも小さな接触部収容部１６と段差面１７とを有している。端子金具２の電線接続部１０には当該電線接続部１０の外周面から突出しかつ段差面１７に接触可能なフランジ部１２が設けられている。端子収容室１４の接続部収容部１５内に収容されかつフランジ部１２とリアホルダ４との間にスリーブ部材６が設けられている。【選択図】図１
2010055809.tif 000002
【特許請求の範囲】
【請求項１】
端子金具と、
前記端子金具を収容する端子収容室が設けられ、かつ相手方のコネクタと嵌合するコネクタハウジングと、
前記コネクタハウジングの前記相手方のコネクタから離れた側の端部に取り付けられるリアホルダと、を備えたコネクタにおいて、
前記端子収容室が、前記端子金具の電線接続部を収容する接続部収容部と、この接続部収容部に連なりかつ前記端子金具の電気接触部を収容するとともに前記接続部収容部よりも小さな接触部収容部と、前記接続部収容部と前記接触部収容部との間に形成された段差面と、を有し、
前記端子金具の電線接続部には、当該電線接続部の外周面から突出しかつ前記段差面に接触可能なフランジ部が設けられ、そして、
前記端子収容室の前記接続部収容部内に収容され、かつ前記フランジ部と前記リアホルダとの間にスリーブ部材が設けられていることを特徴とするコネクタ。
【請求項２】
前記スリーブ部材と前記リアホルダとの間に設けられ、かつ前記電線接続部に接続される電線の外周面と前記接続部収容部の内面との間を水密に保つ第１パッキンと、
前記フランジ部の外周面に取り付けられて、当該フランジ部の外周面と前記接続部収容部の内面との間を水密に保つ第２パッキンと、
を備えたことを特徴とする請求項１記載のコネクタ。
【発明の詳細な説明】
【技術分野】
【０００１】
本発明は、自動車などに配索されるワイヤハーネスを構成するコネクタに関する。
【背景技術】
【０００２】
移動体としての自動車には、多種多様な電子機器が搭載される。前記自動車は、前記電子機器に電力や制御信号などを伝えるために、ワイヤハーネスを配索している。ワイヤハーネスは、複数の電線１００（図４に示す）と、コネクタ１０１（例えば、図４に示す）とを備えている。電線１００は、図４に示すように、導電性の芯線と、該芯線を被覆する絶縁性の被覆部と、を備えた所謂被覆電線である。
【０００３】
図４に例示されたコネクタ１０１は、端子金具１０２と、コネクタハウジング１０３と、リアホルダ１０４と、リアパッキン１０５とを備えている。端子金具１０２は、導電性の金属で構成され、かつ、外径が段階的に変化する円筒状に形成されている。端子金具１０２は、前記電線１００の芯線が接続される円筒状の電線接続部１０６と、この電線接続部１０６に同軸に配置されかつ相手方のコネクタの端子金具と電気的に接続する円筒状の電気接触部１０７と、を一体に備えている。
【０００４】
電線接続部１０６は、内側に電線１００の芯線が挿入されて、内外径が縮小するように塑性変形されることで、当該電線１００の芯線が加締められて取り付けられる。電気接触部１０７は、内外径が拡縮（拡大、縮小すること）自在となるように、弾性変形自在となっており、内側に相手方のコネクタの端子金具が挿入されて、弾性変形することで、当該相手方のコネクタの端子金具と電気的に接続する。
【０００５】
コネクタハウジング１０３は、絶縁性の合成樹脂で構成され、箱状に形成されている。コネクタハウジング１０３には、前記端子金具１０２を収容する端子収容室１０８が設けられている。端子収容室１０８には、当該端子収容室１０８の内面から凸でかつ前記端子金具１０２の外面に係止する係止突起１０９が設けられている。コネクタハウジング１０３は、係止突起１０９が端子金具１０２の外周面に係止することで、当該端子金具１０２を端子収容室１０８内に収容する。また、コネクタハウジング１０３は、相手方のコネクタのコネクタハウジングと嵌合する。
【０００６】
リアホルダ１０４は、絶縁性の合成樹脂で構成され、筒状に形成されている。リアホルダ１０４は、コネクタハウジング１０３の相手方のコネクタのコネクタハウジングから離れた側の端部に取り付けられる。リアホルダ１０４には、前記端子金具１０２に取り付けられた電線１００を内側に通す通し孔１１０が設けられている。
【０００７】
リアパッキン１０５は、ゴムなどの弾性変形自在な合成樹脂で構成されている。リアパッキン１０５は、円環状に形成されている。リアパッキン１０５は、内側に前記電線１００を通して、前記端子収容室１０８内に挿入される。リアパッキン１０５は、内側に前記電線１００を通して、前記端子収容室１０８内に挿入されると、弾性変形して、これら電線１００の外周面と端子収容室１０８の内面との間を水密に保つ。
【０００８】
また、前述したコネクタ１０１は、前記端子金具１０２の電線接続部１０６と電線１００の端末との外周にこれらに密着する収縮チューブ１１１が被せられて、電線１００の芯線内に水などの液体が浸入することが防止されている。
【発明の開示】
【発明が解決しようとする課題】
【０００９】
前述した従来のコネクタ１０１は、係止突起１０９を設けて、端子収容室１０８内からの端子金具１０２の抜けを防止しているために、当該係止突起１０９の係止が外れると、端子金具１０２が端子収容室１０８内で移動し易くなって、当該端子金具１０２が相手方のコネクタの端子金具と接続し難くなる。さらに、前述したコネクタ１０１は、端子金具１０２の電線接続部１０６と電線１００の端末の外側に収縮チューブ１１１を被せるために、組み立てにかかる手間が増加して、組み立てにかかる所要工数が増加する傾向であった。
【００１０】
したがって、本発明の目的は、たとえ係止突起を設けなくても、端子金具が端子収容室内で移動し易くなることを防止することができるコネクタを提供することにある。
【課題を解決するための手段】
【００１１】
前述した課題を解決し目的を達成するために、請求項１に記載の本発明のコネクタは、端子金具と、前記端子金具を収容する端子収容室が設けられ、かつ相手方のコネクタと嵌合するコネクタハウジングと、前記コネクタハウジングの前記相手方のコネクタから離れた側の端部に取り付けられるリアホルダと、を備えたコネクタにおいて、前記端子収容室が、前記端子金具の電線接続部を収容する接続部収容部と、この接続部収容部に連なりかつ前記端子金具の電気接触部を収容するとともに前記接続部収容部よりも小さな接触部収容部と、前記接続部収容部と前記接触部収容部との間に形成された段差面と、を有し、前記端子金具の電線接続部には、当該電線接続部の外周面から突出しかつ前記段差面に接触可能なフランジ部が設けられ、そして、前記端子収容室の前記接続部収容部内に収容され、かつ前記フランジ部と前記リアホルダとの間にスリーブ部材が設けられていることを特徴としている。
【００１２】
請求項２に記載の本発明のコネクタは、請求項１に記載のコネクタにおいて、前記スリーブ部材と前記リアホルダとの間に設けられ、かつ前記電線接続部に接続される電線の外周面と前記接続部収容部の内面との間を水密に保つ第１パッキンと、前記フランジ部の外周面に取り付けられて、当該フランジ部の外周面と前記接続部収容部の内面との間を水密に保つ第２パッキンと、を備えたことを特徴としている。
【００１３】
請求項１に記載の本発明のコネクタによれば、端子金具の電線接続部のフランジ部を端子収容室の段差面に当接可能とし、フランジ部とリアホルダとの間にスリーブ部材を設けている。このために、フランジ部即ち端子金具を段差面とスリーブ部材との間から抜け出ることを防止している。
【００１４】
請求項２に記載の本発明のコネクタによれば、スリーブ部材とリアホルダとの間に電線の外周面と端子収容室の内面との間を水密に保つ第１パッキンを設け、端子金具のフランジ部の外周面に端子収容室の内面との間を水密に保つ第２パッキンを設けている。このために、電線の端末に収縮チューブを被せることなく、電線の端末から芯線内に水などの液体が浸入することを防止できる。
【発明の効果】
【００１５】
以上説明したように、請求項１記載の本発明は、フランジ部即ち端子金具を段差面とスリーブ部材との間から抜け出ることを防止しているために、端子金具に係止する係止突起を設けることなく、端子金具が端子収容室内で移動し易くなることを防止できる。
【００１６】
請求項２に記載の本発明は、電線の端末に収縮チューブを被せることなく、電線の端末から芯線内に水などの液体が浸入することを防止できるので、組み立てにかかる手間が増加することを防止でき、組み立てにかかる所要工数が増加することを防止することができる。
【発明を実施するための最良の形態】
【００１７】
本発明の一実施形態にかかるコネクタを、図１ないし図３を参照して説明する。
【００１８】
コネクタ１は、相手方のコネクタと嵌合する。相手方のコネクタは、絶縁性の合成樹脂で構成されたコネクタハウジングと、当該コネクタハウジング内に収容された端子金具とを備えている。
【００１９】
コネクタ１は、図１及び図３に示すように、端子金具２と、絶縁性の合成樹脂で構成されたコネクタハウジング３と、リアホルダ４と、第１パッキンとしてのリアパッキン５と、スリーブ部材６と、第２パッキンとしてのセンタパッキン７とを備えている。
【００２０】
端子金具２は、導電性の金属で構成され、かつ、外径が段階的に変化する円筒状に形成されている。端子金具２は、図２及び図３に示すように、前記電線８の芯線９が接続される円筒状の電線接続部１０と、この電線接続部１０に同軸に配置されかつ相手方のコネクタの端子金具と電気的に接続する円筒状の電気接触部１１と、を一体に備えている。
【００２１】
電線接続部１０は、内側に電線８の芯線９が挿入されて、内外径が縮小するように塑性変形されることで、当該電線８の芯線９が加締められて取り付けられる。電気接触部１１は、内外径が拡縮（拡大、縮小すること）自在となるように、弾性変形自在となっており、内側に相手方のコネクタの端子金具が挿入されて、弾性変形することで、当該相手方のコネクタの端子金具と電気的に接続する。
【００２２】
また、電線接続部１０には、フランジ部１２が全周に亘って設けられている。フランジ部１２は、電線接続部１０の電気接触部１１寄りの端に設けられている。フランジ部１２は、電線接続部１０の外周面から突出しており、当該電線接続部１０と同軸に配置されている。また、フランジ部１２の外周面には、その全周に亘って凹溝１３が設けられている。
【００２３】
コネクタハウジング３は、絶縁性の合成樹脂で構成され、図３に示すように、箱状に形成されている。コネクタハウジング３には、図１に示すように、前記端子金具２を収容する端子収容室１４が設けられている。端子収容室１４は、直線状に延在した空間である。端子収容室１４は、接続部収容部１５と、この接続部収容部１５に連なりかつ当該接続部収容部１５と同軸の接触部収容部１６と、前記接続部収容部１５と接触部収容部１６との間に設けられた段差面１７とを備えている。
【００２４】
接続部収容部１５は、その断面形状が丸形に形成されている。接続部収容部１５は、端子金具２の電線接続部１０を収容する。接触部収容部１６は、その断面形状が丸形に形成されている。接触部収容部１６は、その内径が接続部収容部１５の内径よりに小さく形成されている。接触部収容部１６が、端子金具２の電気接触部１１を収容する。段差面１７は、端子収容室１４即ち端子金具２の長手方向に沿って、端子金具２のフランジ部１２と相対する。段差面１７は、フランジ部１２と相対することで、当該フランジ部１２に接触可能となっている。
【００２５】
前述した構成のコネクタハウジング３の図１中左側の端部には、図示しない相手方のコネクタのコネクタハウジングが嵌合する。
【００２６】
リアホルダ４は、絶縁性の合成樹脂で構成され、筒状に形成されている。リアホルダ４は、コネクタハウジング３の相手方のコネクタのコネクタハウジングから離れた側の端部に取り付けられる。リアホルダ４には、前記端子金具２に取り付けられた電線８を内側に通す通し孔１８が設けられている。
【００２７】
リアパッキン５は、ゴムなどの弾性変形自在な合成樹脂で構成されたパッキン本体１９と、埋設部材２０とを備えている。パッキン本体１９は、円環状に形成されている。埋設部材２０は、弾性変形し難いパッキン本体１９よりも硬質な合成樹脂で構成されている。リアパッキン５は、内側に前記電線８を通して、前記端子収容室１４の接続部収容部１５内に挿入される。リアパッキン５は、内側に前記電線８を通して、前記端子収容室１４の接続部収容部１５内に挿入されると、弾性変形して、これら電線８の外周面と端子収容室１４の接続部収容部１５の内面との間を水密に保つ。
【００２８】
スリーブ部材６は、断面Ｃ字状の筒状に形成されている。スリーブ部材６は、内側に接続部収容部１５を通して、フランジ部１２とリアパッキン５との間に配置された状態で、端子収容室１４の接続部収容部１５内に収容される。即ち、スリーブ部材６は、リアパッキン５を介してリアホルダ４と、フランジ部１２との間に配置される。
【００２９】
センタパッキン７は、ゴムなどの弾性変形自在な合成樹脂で構成されている。センタパッキン７は、円環状に形成されている。センタパッキン７は、内側にフランジ部１２を通して、当該フランジ部１２の凹溝１３内に収容されている。センタパッキン７は、凹溝１３即ちフランジ部１２の外周面に取り付けられて、このフランジ部１２の外周面と端子収容室１４の接続部収容部１５の内面とに接触して、弾性変形する。センタパッキン７は、フランジ部１２の外周面と端子収容室１４の接続部収容部１５の内面との間を水密に保つ。
【００３０】
前述した構成のコネクタ１は、以下のように組み立てられる。まず、端子金具２にセンタパッキン７を取り付けて、端子金具２の電線接続部１０内に電線８の端末で露出した芯線９を挿入して、電線接続部１０を加締めて、端子金具２に電線８を取り付ける。そして、スリーブ部材６内に電線８を通して、当該スリーブ部材６を端子金具２に取り付け、更に、リアパッキン５を取り付ける。その後、端子金具２をコネクタハウジング３の端子収容室１４内に挿入して、リアパッキン５を端子収容室１４内に圧入する。そして、リアホルダ４をコネクタハウジング３に取り付けて、前述したコネクタ１が得られる。こうして組み立てられたコネクタ１は、相手方のコネクタなどと嵌合するなどして、自動車に配索されるワイヤハーネスを構成する。
【００３１】
本実施形態によれば、端子金具２の電線接続部１０のフランジ部１２を端子収容室１４の段差面１７に当接可能とし、フランジ部１２とリアホルダ４との間にスリーブ部材６を設けている。このために、フランジ部１２即ち端子金具２を段差面１７とスリーブ部材６との間から抜け出ることを防止している。したがって、端子金具２に係止する係止突起を設けることなく、端子金具２が端子収容室１４内で移動し易くなることを防止できる。
【００３２】
また、スリーブ部材６とリアホルダ４との間に電線８の外周面と端子収容室１４の内面との間を水密に保つリアパッキン５を設け、端子金具２のフランジ部１２の外周面に端子収容室１４の内面との間を水密に保つセンタパッキン７を設けている。このために、電線８の端末に収縮チューブを被せることなく、電線８の端末から芯線９内に水などの液体が浸入することを防止できる。したがって、組み立てにかかる手間が増加することを防止でき、組み立てにかかる所要工数が増加することを防止することができる。
【００３３】
前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３４】
【図１】本発明の一実施形態にかかるコネクタの断面図である。
【図２】図１に示されたコネクタの端子金具などを示す斜視図である。
【図３】図１に示されたコネクタの分解斜視図である。
【図４】従来のコネクタの断面図である。
【符号の説明】
【００３５】
１  コネクタ
２  端子金具
３  コネクタハウジング
４  リアホルダ
５  リアパッキン（第１パッキン）
６  スリーブ部材
７  センタパッキン（第２パッキン）
１０  電線接続部
１１  電気接触部
１２  フランジ部
１４  端子収容室
１５  接続部収容部
１６  接触部収容部
１７  段差面
【図１】
2010055809.tif 000003
【図２】
2010055809.tif 000004
【図３】
2010055809.tif 000005
【図４】
2010055809.tif 000006